【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
発呼をふるい分けする能力を被発呼者に提供する方法であって、
前記被発呼者を意図して発呼者から転送された発呼をネットワークを介して発呼管理システムで受信し、該転送された発呼に関連する通知情報が前記発呼者の電話番号を含み、
前記発呼者に対して挨拶を再生し、
前記被発呼者に関連する少なくとも１つの電話宛先へ前記発呼管理システムから第２の発呼を生成し、該第２の発呼に関連する通知情報が前記発呼者に関連する識別子を含み、これにより該第２の発呼が前記発呼者から発せられたように見せ、
前記転送された発呼を前記第２の発呼に橋渡しする、
という各ステップを含む、発呼をふるい分けする能力を被発呼者に提供する方法。
【請求項２】
前記電話宛先がPOT電話である、請求項１に記載の方法。
【請求項３】
前記電話宛先が無線電話である、請求項１に記載の方法。
【請求項４】
前記電話宛先がVoIP（Voice over Internet Protocol）電話である、請求項１に記載の方法。
【請求項５】
前記電話宛先がPDA（Personal Digital Assistant）である、請求項１に記載の方法。
【請求項６】
前記発呼者に対して再生される前記挨拶が、前記被発呼者によって予め記録されたものである、請求項１に記載の方法。
【請求項７】
前記発呼者からの音声メッセージを発呼処理システムで受信し、
該音声メッセージを実質的にリアルタイムで前記被発呼者へ送信する、
という各ステップを更に含む、請求項１に記載の方法。
【請求項８】
発呼の処理方法であって、
被発呼者を意図した発呼者からの第１の発呼をネットワークを介して発呼処理システムで受信し、該第１の発呼が、前記発呼者の電話番号を有する通知情報を含み、
前記発呼処理システムから前記ネットワークを介して前記被発呼者に関連する電話宛先への新たな発呼を生成し、該新たな発呼が、前記発呼者の電話番号の少なくとも所定の部分を有する通知情報を含み、これにより前記第１の発呼の発呼者の身元を前記被発呼者が判定して該発呼者をふるい分けできるようにする、
という各ステップを含む、発呼の処理方法。
【請求項９】
前記電話宛先がPOT電話である、請求項８に記載の方法。
【請求項１０】
前記電話宛先が無線電話である、請求項８に記載の方法。
【請求項１１】
前記電話宛先がVoIP電話である、請求項８に記載の方法。
【請求項１２】
発呼をふるい分けする能力を被発呼者に提供する方法であって、
前記被発呼者を意図した発呼者からの第１の発呼を発呼処理システムで受信し、該第１の発呼が該発呼者の電話番号を有する通知情報を含み、
前記被発呼者に関連するネットワーク接続されたコンピュータとのインターネットを介した通信チャネルをオープンし、
前記第１の発呼が処理されている間に、前記通知情報の少なくとも一部を含む発呼警告メッセージを、前記被発呼者に関連する端末へ送信し、
前記発呼者からのスピーチを記録し、該スピーチを前記端末へ実質的にリアルタイムで送信し、該スピーチが該端末を介して前記被発呼者に対して再生されることを意図したものであり、
前記端末を介して接続命令を受信して、前記被発呼者に関連する複数の潜在的な宛先のうちの１つへ前記発呼者を接続させる、
という各ステップを含む、発呼をふるい分けする能力を被発呼者に提供する方法。
【請求項１３】
前記被発呼者が、VoIPを使用して発呼者と通信する、請求項１２に記載の方法。
【請求項１４】
前記発呼者を複数の潜在的な宛先のうちの１つへ接続させる前記ステップが、前記発呼処理システムから外部接続を生成して前記第１の発呼と該外部接続とを橋渡しするステップを含む、請求項１２に記載の方法。
【請求項１５】
前記発呼処理システムから少なくとも１つの宛先へ外部接続を生成し、
前記第１の発呼と前記外部接続とを橋渡しし、
第１の時間の経過後に、前記橋渡しされた第１の発呼及び外部接続に自動的に割り込む、
という各ステップを更に含む、請求項１２に記載の方法。
【請求項１６】
前記発呼処理システムから少なくとも１つの宛先へ外部接続を生成し、該少なくとも１つの宛先が電話であり、
前記第１の発呼と前記外部接続とを橋渡しし、
該橋渡しされた第１の発呼と外部接続とに関連するステータス情報を前記端末へ送信する、
という各ステップを更に含む、請求項１２に記載の方法。
【請求項１７】
前記端末がコンピュータである、請求項１２に記載の方法。
【請求項１８】
発呼のふるい分けを提供する方法であって、
被発呼者を意図した発呼者からの第１の発呼を発呼処理システムで受信し、該第１の発呼が、該発呼者の電話番号を有する通知情報を含み、
前記被発呼者に対して表示するために前記第１の発呼に含まれる前記通知情報の少なくとも一部を、実質的にリアルタイムで、前記被発呼者に関連するネットワーク接続されたコンピュータへインターネットを介して送信し、
前記発呼処理システムから前記被発呼者に関連する宛先へ第２の発呼を生成し、該第２の発呼が、前記発呼者の電話番号のうちの少なくとも選択された部分を有する通知情報を含み、
前記発呼者からのスピーチを記録し、該スピーチを、実質的にリアルタイムで、前記宛先へ送信し及び／又はインターネットを介して前記ネットワーク接続されたコンピュータへ送信して前記被発呼者に対して該ネットワーク接続されたコンピュータにより再生させ、
前記ネットワーク接続されたコンピュータ又は前記被発呼者に関連する宛先電話を介して該被発呼者からの命令を受信し、該受信した命令に少なくとも部分的に応じて、前記第１の発呼を複数の潜在的な端末宛先へと接続させる、
という各ステップを含む、発呼のふるい分けを提供する方法。
【請求項１９】
前記被発呼者が、VoIPを使用して発呼者と通信する、請求項１８に記載の方法。
【請求項２０】
前記第１の発呼を複数の潜在的な端末宛先のうちの１つへ接続させる前記ステップが、前記発呼処理システムから外部接続を生成して前記第１の発呼と該外部接続とを橋渡しするステップを含む、請求項１８に記載の方法。
【請求項２１】
前記発呼処理システムから少なくとも１つの宛先へ外部接続を生成し、
前記第１の発呼と前記外部接続とを橋渡しし、
第１の時間の経過後に、前記橋渡しされた第１の発呼及び外部接続に自動的に割り込む、
という各ステップを更に含む、請求項１８に記載の方法。
【請求項２２】
前記第１の発呼を複数の潜在的な端末宛先のうちの１つへ接続させる前記ステップが、
前記発呼処理システムから少なくとも１つの宛先へ外部接続を生成し、該少なくとも１つの宛先が電話であり、
前記第１の発呼と前記外部接続とを橋渡しし、
該橋渡しされた第１の発呼と外部接続とに関連するステータス情報を前記端末へ送信する、
という各ステップを更に含む、請求項１８に記載の方法。
【請求項２３】
発呼の処理方法であって、
被発呼者を意図した発呼者からの第１の発呼をネットワークを介して第１のシステムで受信し、該第１の発呼が、該発呼者の電話番号を有する通知情報を含み、
前記第１のシステムから前記ネットワークを介して前記被発呼者に関連する第１の端末へ第２の発呼を生成し、該第２の発呼が、前記発呼者の電話番号のうちの少なくとも選択された部分を有する通知情報を含み、これにより前記第１の発呼の発呼者の身元を前記被発呼者が判定して該発呼者をふるい分けできるようにし、
前記発呼者を第２の端末へ転送するための命令を前記被発呼者から受信し、
該命令に少なくとも部分的に応じて、前記第１のシステムから交換網を介して前記第２の端末へ第３の発呼を生成する、
という各ステップを含む、発呼の処理方法。
【請求項２４】
前記第１の発呼と前記第３の発呼とを橋渡しするステップを更に含む、請求項２３に記載の方法。
【請求項２５】
前記被発呼者が、VoIPを使用して発呼者と通信する、請求項２３に記載の方法。
【請求項２６】
前記第２の端末が携帯電話である、請求項２３に記載の方法。
【請求項２７】
前記第１の発呼及び外部接続に関するステータス情報を前記第１の端末へ送信するステップを更に含む、請求項２３に記載の方法。
【請求項２８】
前記第１の端末がコンピュータである、請求項２３に記載の方法。
【請求項２９】
発呼の処理方法であって、
被発呼者を意図した発呼者からの第１の発呼をネットワークを介して発呼処理システムで受信し、
該発呼処理システムから前記ネットワークを介して前記被発呼者に関連する端末へ第２の発呼を生成し、該第２の発呼が、前記発呼者の電話番号のうちの少なくとも選択された部分を有する通知情報を含み、これにより前記第１の発呼の発呼者の身元を前記被発呼者が判定して該発呼者をふるい分けできるようにし、
前記発呼者を第２の端末へ転送するための命令を前記被発呼者から受信し、
前記発呼処理システムから交換網を介して前記第２の端末へ第３の発呼を生成する、
という各ステップを含む、発呼の処理方法。
【請求項３０】
前記第１の発呼と前記第３の発呼とを橋渡しするステップを更に含む、請求項２９に記載の方法。
【請求項３１】
前記被発呼者が、VoIPを使用して発呼者と通信する、請求項２９に記載の方法。
【請求項３２】
前記第２の端末が携帯電話である、請求項２９に記載の方法。
【請求項３３】
前記第１の発呼に関するステータス情報を前記第１の端末へ送信するステップを更に含む、請求項２９に記載の方法。
【請求項３４】
前記第１の端末がコンピュータである、請求項２９に記載の方法。
【請求項３５】
無線電話を介した発呼の処理方法であって、
被発呼者を意図した発呼者からの第１の発呼をネットワークを介して発呼処理システムで受信し、
該発呼処理システムにおいて前記発呼者からの前記第１の発呼に応答し、
前記発呼処理システムを介して前記発呼者に対して挨拶メッセージを再生し、
前記発呼者からの音声メッセージを前記発呼処理システムで受信し、
該発呼処理システムから前記被発呼者に関連する無線電話へ外部接続を生成し、
該外部接続が少なくとも部分的に無線通信ネットワークを介して行われ、
前記音声メッセージを前記外部接続を介して前記無線電話へ実質的にリアルタイムでストリーミングし、
前記発呼処理システムが前記発呼者への戻り会話経路を自動的にミュートさせて前記被発呼者の無線電話から該発呼者への音の伝達を阻止することにより、発呼がふるい分けされていることを該発呼者に気づかれることなく該被発呼者が前記無線電話を介して発呼のふるい分けを行うことを可能にし、
発呼承認命令を受信し、
該発呼承認命令を受信したことに少なくとも部分的に応じて前記発呼者が前記被発呼者の話を聞くことを可能にし、この場合、該被発呼者は無線電話に対して話をする、
という各ステップを含む、無線電話を介した発呼の処理方法。
【請求項３６】
前記発呼許容命令を受信したことに少なくとも部分的に応じて前記発呼者が前記被発呼者と二重モードで会話することを可能にするステップを更に含む、請求項３５に記載の方法。
【請求項３７】
前記発呼許容命令が、前記無線電話からのものである、請求項３５に記載の方法。
【請求項３８】
前記発呼許容命令が、前記被発呼者に関連するパーソナルコンピュータからのものである、請求項３５に記載の方法。
【請求項３９】
前記被発呼者が、発呼のふるい分けを行っている間に前記無線電話を介して発呼転送命令を提供することを可能にするステップを更に含む、請求項３５に記載の方法。
【請求項４０】
前記発呼者に対して発呼終了音声メッセージを再生して前記第１の発呼を終了させることを前記被発呼者が前記発呼処理システムに命令することを可能にするステップを更に含む、請求項３５に記載の方法。
【請求項４１】
前記外部接続と前記発呼者の発呼とを橋渡しするステップを更に含む、請求項３５に記載の方法。
【請求項４２】
前記無線電話が携帯電話である、請求項３５に記載の方法。
【請求項４３】
前記発呼処理システムが、異なるローカル交換機により、次いで発呼者の通信装置及び被発呼者の無線電話によりサービスされる、請求項３５に記載の方法。
【請求項４４】
無線電話を介した発呼の処理方法であって、
被発呼者を意図した発呼者からの第１の発呼をネットワークを介して処理システムで受信し、
前記処理システムを介して前記発呼者に対して挨拶を提供し、
前記発呼者からの音声通信を前記処理システムで受信し、
該音声通信の少なくとも第１の部分を前記処理システムを介して前記被発呼者に関連する無線電話へ実質的にリアルタイムでストリーミングすると共に前記無線電話から前記発呼者へ音が確実に伝達しないようにすることにより、発呼がふるい分けされていることを前記発呼者に気づかれることなく前記被発呼者が前記無線電話を介して発呼のふるい分けを行うことを可能にし、
前記被発呼者により選択された際に前記無線電話を介して第１の制御を提供することにより二重通信を提供して、前記被発呼者が前記発呼者と会話できるようにし、
前記被発呼者により選択された際に前記無線電話を介して第２の制御を提供することにより、前記音声通信の少なくとも第２の部分が別の通信装置へ実質的にリアルタイムでストリーミングされるようにする、
という各ステップを含む、無線電話を介した発呼の処理方法。
【請求項４５】
前記発呼者が前記被発呼者と二重モードで会話することを可能にするステップを更に含む、請求項４４に記載の方法。
【請求項４６】
前記通信装置が別の無線電話である、請求項４４に記載の方法。
【請求項４７】
前記通信装置が家庭用電話又は業務用電話である、請求項４４に記載の方法。
【請求項４８】
前記通信装置がコンピュータである、請求項４４に記載の方法。
【請求項４９】
前記処理システムから前記無線電話への外部接続を生成して前記第１の発呼を該外部接続に橋渡しするステップを更に含む、請求項４４に記載の方法。
【請求項５０】
前記処理システムから前記無線電話への外部接続を生成して前記第１の発呼を該外部接続に橋渡し、
第１の発呼の時間制限に基づいて、発呼の終了が実行されることになることの音声通知を前記被発呼者へ提供する、
という各ステップを更に含む、請求項４４に記載の方法。
【請求項５１】
前記被発呼者が、無線電話のキーを選択することにより前記第１の制御を選択する、請求項４４に記載の方法。
【請求項５２】
前記被発呼者が、音声コマンドにより前記第１の制御を選択する、請求項４４に記載の方法。
【請求項５３】
前記被発呼者に第３の制御を提供するステップを更に含み、該第３の制御が、前記被発呼者により選択された際に、
前記被発呼者に対して発呼終了音声メッセージを再生し、
前記第１の発呼を終了させる、
という各ステップを実行するものである、請求項４４に記載の方法。
【請求項５４】
前記無線電話が携帯電話である、請求項４４に記載の方法。
【請求項５５】
発呼の処理方法であって、
被発呼者を意図した発呼者からの第１の発呼を通信ネットワークを介して処理システムで受信し、
前記発呼者に対して挨拶を提供し、
前記発呼者からの音声通信を受信し、
該音声通信の少なくとも第１の部分を前記処理システムから前記被発呼者に関連する電話へ実質的にリアルタイムで送信して、前記被発呼者が前記電話を介して前記発呼をふるい分けすることを可能にすると共に、前記被発呼者の電話を介して受信した音を前記発呼者が聞くことを阻止し、
前記音声通信を第２の通信装置へ送信し続けるための第１の命令を前記電話を介して受信し、
該第１の命令に少なくとも部分的に応じて、前記音声通信の少なくとも第２の部分を前記発呼者から前記第２の通信装置へ実質的にリアルタイムで送信する、
という各ステップを含む、発呼の処理方法。
【請求項５６】
前記電話と前記発呼者の通信装置との間の通信経路をミュートさせるステップを更に含む、請求項５５に記載の方法。
【請求項５７】
前記発呼者が二重モードで前記被発呼者と会話することを可能にするステップを更に含む、請求項５５に記載の方法。
【請求項５８】
前記電話が携帯電話である、請求項５５に記載の方法。
【請求項５９】
前記第２の通信装置が、家庭用電話又は業務用電話である、請求項５５に記載の方法。
【請求項６０】
前記第２の通信装置が、コンピュータである、請求項５５に記載の方法。
【請求項６１】
前記第２の通信装置が、VoIP端末である、請求項５５に記載の方法。
【請求項６２】
前記第２の通信装置が、通信アプリケーションクライアントをホストするものである、請求項５５に記載の方法。
【請求項６３】
第１の時間制限に少なくとも部分的に基づいて、発呼の終了が実行されることになることの音声通知を前記被発呼者へ提供するステップを更に含む、請求項５５に記載の方法。
【請求項６４】
前記被発呼者が、電話のキーを選択することにより、又は音声コマンドを提供することにより、前記第１の命令を提供する、請求項５５に記載の方法。
【請求項６５】
発呼終了ユーザインタフェイスを被発呼者へ提供するステップを更に含み、該発呼終了ユーザインタフェイスが、前記被発呼者によりアクティブにされた際に、
発呼終了音声メッセージを前記発呼者に対して再生させ、
前記第１の発呼を終了させる、
という各ステップを実行するものである、請求項５５に記載の方法。
【請求項６６】
前記通信ネットワークが交換回路網を含む、請求項５５に記載の方法。
【請求項６７】
前記通信ネットワークがパケット交換網を含む、請求項５５に記載の方法。
【請求項６８】
前記第１の発呼が前記処理システムへ転送される、請求項５５に記載の方法。
【請求項６９】
無線電話を介した発呼の処理方法であって、
被発呼者を意図した発呼者からの第１の発呼をネットワークを介して発呼処理システムで受信し、
該発呼処理システムにおいて前記発呼者からの前記第１の発呼に応答し、
前記発呼処理システムを介して前記発呼者に対して挨拶メッセージを再生し、
前記発呼者からの音声メッセージを前記発呼処理システムで受信し、
該音声メッセージをインターネットを介して前記被発呼者に関連する端末へストリーミングし、
前記発呼処理システムが前記発呼者への戻り会話経路を自動的にミュートさせて前記被発呼者の端末から前記発呼者への音の伝達を阻止することにより、発呼がふるい分けされていることを前記発呼者に気づかれることなく前記被発呼者が前記端末を介して発呼のふるい分けを行うことを可能にし、
発呼許容命令を受信し、
該発呼許容命令を受信したことに少なくとも部分的に応じて前記発呼者が前記被発呼者の話を聞くことを可能にし、この場合、前記被発呼者は前記端末に関連するマイクに対して話をする、
という各ステップを含む、無線電話を介した発呼の処理方法。
【請求項７０】
前記発呼許容命令を受信したことに少なくとも部分的に応じて前記発呼者が二重モードで前記被発呼者と会話することを可能にするステップを更に含む、請求項６９に記載の方法。
【請求項７１】
前記発呼許容命令が前記端末からのものである、請求項６９に記載の方法。
【請求項７２】
前記端末が前記被発呼者に関連するパーソナルコンピュータである、請求項６９に記載の方法。
【請求項７３】
前記被発呼者が発呼のふるい分けを行っている間に発呼転送命令を提供することを可能にするステップを更に含む、請求項６９に記載の方法。
【請求項７４】
前記発呼者に対して発呼終了音声メッセージを再生すること及び前記第１の発呼を終了させることを前記被発呼者が前記発呼処理システムに命令することを可能にするステップを更に含む、請求項６９に記載の方法。
【請求項７５】
外部接続と前記発呼者の発呼とを橋渡しするステップを更に含む、請求項６９に記載の方法。
【請求項７６】
無線電話を介した発呼の処理方法であって、
被発呼者を意図した発呼者からの第１の発呼をネットワークを介して発呼処理システムで受信し、
該発呼処理システムにおいて前記発呼者からの前記第１の発呼に応答し、
前記発呼処理システムを介して前記発呼者に対して挨拶メッセージを再生し、
前記発呼者からの音声メッセージを前記発呼処理システムで受信し、
該発呼処理システムから前記被発呼者に関連する無線電話又はネットワーク接続されたコンピュータへ外部接続を生成し、
該外部接続が少なくとも部分的に無線通信ネットワーク又はデータネットワークを介して行われ、
前記音声メッセージを前記外部接続を介して前記無線電話又はネットワーク接続された前記コンピュータへ実質的にリアルタイムでストリーミングし、
前記発呼処理システムが前記発呼者への戻り会話経路を自動的にミュートさせて前記被発呼者の無線電話又はネットワーク接続された前記コンピュータから前記発呼者への音の伝達を阻止することにより、発呼がふるい分けされていることを該発呼者に気づかれることなく前記被発呼者が発呼のふるい分けを行うことを可能にし、
発呼許容命令を受信し、
該発呼許容命令を受信したことに少なくとも部分的に応じて前記発呼者が前記被発呼者の話を聞くことを可能にする、
という各ステップを含む、無線電話を介した発呼の処理方法。
【請求項７７】
発呼の処理方法であって、
被発呼者を意図した発呼者からの第１の発呼をネットワークを介して第１のシステムで受信し、該第１の発呼が、該発呼者の電話番号を有する通知情報を含み、
前記第１のシステムから前記ネットワークを介して前記被発呼者に関連する第１の端末へ第２の発呼を生成し、該第２の発呼が、前記発呼者の電話番号のうちの少なくとも選択された部分を有する通知情報を含み、これにより前記第１の発呼の発呼者の身元を前記被発呼者が判定して該発呼者をふるい分けできるようにし、
前記第２の発呼の後に、前記ネットワークを介して、前記第１のシステムから前記被発呼者に関連する第３の端末へ第３の発呼を生成し、
前記発呼者に対して挨拶を再生し、
音声通信の少なくとも第１の部分を前記処理システムを介して前記被発呼者に関連するネットワーク接続されたコンピュータ、前記第２の発呼に関連する前記端末、及び／又は前記第３の発呼に関連する前記端末へストリーミングすることにより、少なくとも前記被発呼者による第１のアクションまで前記ネットワーク接続されたコンピュータ又は前記端末から前記発呼者へ音が伝達しないことを自動的に確保している間に前記被発呼者が発呼をふるい分けすることを可能にする、
という各ステップを含む、発呼の処理方法。
【請求項７８】
前記第１のアクションが、ネットワーク接続されたコンピュータ上での制御のアクティブ化である、請求項７７に記載の方法。
【請求項７９】
前記第２の発呼に関連する端末が無線電話であり、前記第１のアクションが該無線電話のキーの押下である、請求項７７に記載の方法。
【請求項８０】
前記第２の発呼に関連する端末が無線電話であり、前記第１のアクションが発呼許容命令である、請求項７７に記載の方法。
【請求項８１】
前記被発呼者が発呼のふるい分けを行っている間に発呼転送命令を提供することを可能にするステップを更に含む、請求項７７に記載の方法。
【請求項８２】
前記第１の発呼と前記第２の発呼とを橋渡しするステップを更に含む、請求項７７に記載の方法。
【請求項８３】
前記第１の発呼と前記第３の発呼とを橋渡しするステップを更に含む、請求項７７に記載の方法。
【請求項８４】
発呼の処理方法であって、
被発呼者を意図した発呼者からの第１の発呼をネットワークを介して第１のシステムで受信し、該第１の発呼が、該発呼者の電話番号を有する通知情報を含み、
前記第１のシステムから前記ネットワークを介して前記被発呼者に関連する第１の端末へ第２の発呼を生成し、該第２の発呼が、前記発呼者の電話番号のうちの少なくとも選択された部分を有する通知情報を含み、これにより前記第１の発呼の発呼者の身元を前記被発呼者が判定して該発呼者をふるい分けできるようにし、
前記第２の発呼の後に、前記ネットワークを介して、前記第１のシステムから前記被発呼者に関連する第２の端末へ第３の発呼を生成し、
前記発呼者に対して挨拶を再生し、
音声通信の少なくとも第１の部分を前記処理システムを介して前記被発呼者に関連するネットワーク接続されたコンピュータ、前記第２の発呼に関連する前記端末、及び／又は前記第３の発呼に関連する前記端末へストリーミングすることにより、前記ネットワーク接続されたコンピュータ又は前記端末から前記発呼者へ音が伝達しないことを自動的に確保している間に前記被発呼者が前記端末又は前記ネットワーク接続されたコンピュータを介して発呼をふるい分けすることを可能にし、
前記被発呼者が前記発呼者と話すことを望んでいることを示す指示を該被発呼者が提供した際に該被発呼者が該発呼者と会話できるように二重通信を提供する、
という各ステップを含む、発呼の処理方法。
【請求項８５】
前記指示が、ネットワーク接続されたコンピュータを介して提供される、請求項８４に記載の方法。
【請求項８６】
前記指示が、無線電話を介して提供される、請求項８４に記載の方法。
【請求項８７】
前記指示が、前記第３の発呼に関連する端末を介して提供される、請求項８４に記載の方法。
【請求項８８】
前記被発呼者が発呼のふるい分けを行っている間に発呼転送命令を提供することを可能にするステップを更に含む、請求項８４に記載の方法。
【請求項８９】
前記第１の発呼と前記第２の発呼とを橋渡しするステップを更に含む、請求項８４に記載の方法。
【請求項９０】
前記第１の発呼と前記第３の発呼とを橋渡しするステップを更に含む、請求項８４に記載の方法。